(57)【要約】  無線通信システム（１００）は、第１無線装置（１１０）と、第２無線装置（１２０）と、を含む。第１無線装置（１１０）は、第２無線装置（１２０）を待ち受け状態から接続状態に遷移させるページングメッセージであって複数のセルを示す情報を含むページングメッセージを送信する。第２無線装置（１２０）は、第１無線装置（１１０）によって送信されたページングメッセージに含まれる情報に基づいて選択したセルへの接続処理を行う。
2016125311.tif 000002
【特許請求の範囲】
【請求項１】
第１無線装置および第２無線装置を含む無線通信システムにおいて、
前記第２無線装置を待ち受け状態から接続状態に遷移させるページングメッセージであって複数のセルを示す情報を含むページングメッセージを送信する前記第１無線装置と、
前記第１無線装置によって送信された前記ページングメッセージに含まれる前記情報に基づいて選択したセルへの接続処理を行う前記第２無線装置と、
を含むことを特徴とする無線通信システム。
【請求項２】
前記第１無線装置は、接続候補の各セルの中から前記接続候補の各セルの負荷状況に応じて選択したセルを示す前記情報を含む前記ページングメッセージを送信することを特徴とする請求項１に記載の無線通信システム。
【請求項３】
前記第１無線装置は、前記複数のセルにおける接続の優先順位を特定可能な情報を含む前記ページングメッセージを送信することを特徴とする請求項１または２に記載の無線通信システム。
【請求項４】
前記第１無線装置は、前記第２無線装置が優先的に接続すべき前記複数のセルを示す情報を含む前記ページングメッセージを送信することを特徴とする請求項１〜３のいずれか一つに記載の無線通信システム。
【請求項５】
前記第１無線装置は、前記第２無線装置が優先的に接続を回避すべき前記複数のセルを示す情報を含む前記ページングメッセージを送信することを特徴とする請求項１〜３のいずれか一つに記載の無線通信システム。
【請求項６】
前記第２無線装置は、前記複数のセルの少なくともいずれかが所定条件を満たす場合は前記複数のセルのうちの前記所定条件を満たすセルへの前記接続処理を行い、前記複数のセルのいずれも前記所定条件を満たさない場合は接続可能なセルのうちの前記複数のセルとは異なるセルへの前記接続処理を行うことを特徴とする請求項１〜３のいずれか一つに記載の無線通信システム。
【請求項７】
前記第２無線装置は、接続可能なセルのうちの前記複数のセルと異なるセルが所定条件を満たす場合は前記異なるセルへの前記接続処理を行い、前記異なるセルが前記所定条件を満たさない場合は前記複数のセルの少なくともいずれかへの前記接続処理を行うことを特徴とする請求項１〜３のいずれか一つに記載の無線通信システム。
【請求項８】
前記複数のセルは、前記第１無線装置とは異なる無線装置が形成するセルを含む各セルの中から選択された複数のセルであることを特徴とする請求項１〜７のいずれか一つに記載の無線通信システム。
【請求項９】
他の無線装置と通信可能な無線装置であって、
前記他の無線装置を待ち受け状態から接続状態に遷移させるページングメッセージであって複数のセルを示す情報を含むページングメッセージを生成する生成部と、
前記生成部によって生成された前記ページングメッセージを送信する送信部と、
を備えることを特徴とする無線装置。
【請求項１０】
自装置を待ち受け状態から接続状態に遷移させるページングメッセージであって複数のセルを示す情報を含むページングメッセージを他の無線装置から受信する受信部と、
前記受信部によって受信された前記ページングメッセージに含まれる前記情報に基づいて選択したセルへの接続処理を行う制御部と、
を備えることを特徴とする無線装置。
【請求項１１】
他の無線装置と通信可能な無線装置による処理方法であって、
前記他の無線装置を待ち受け状態から接続状態に遷移させるページングメッセージであって複数のセルを示す情報を含むページングメッセージを生成し、
生成した前記ページングメッセージを送信する、
ことを特徴とする処理方法。
【請求項１２】
自装置を待ち受け状態から接続状態に遷移させるページングメッセージであって複数のセルを示す情報を含むページングメッセージを他の無線装置から受信し、
受信した前記ページングメッセージに含まれる前記情報に基づいて選択したセルへの接続処理を行う、
ことを特徴とする処理方法。
【発明の詳細な説明】
【技術分野】
【０００１】
本発明は、無線通信システム、無線装置および処理方法に関する。
【背景技術】
【０００２】
従来、たとえばセルラ移動通信システムにおいて、移動局に着信するときの呼び出し動作としてページングが知られている。また、無線基地局が移動局に対して、ＳＩ（Ｓｙｓｔｅｍ  Ｉｎｆｏｒｍａｔｉｏｎ）が変更されるセルを、ページングメッセージを用いて通知する技術が知られている（たとえば、下記特許文献１参照。）。【０００３】
また、ブロードキャストメッセージまたはページングメッセージを用いて、フェムト基地局がサービスを提供できないことを知らせるサービス不能情報を端末に送信する技術が知られている（たとえば、下記特許文献２参照。）。また、セル再選択の優先順位を示す優先順位情報をブロードキャストメッセージによって送信する技術が知られている（たとえば、下記特許文献３参照。）。
【先行技術文献】
【特許文献】
【０００４】
【特許文献１】特開２０１１−２３４２５２号公報
【特許文献２】特表２０１２−５３２５５４号公報
【特許文献３】特開２０１２−２４９３２４号公報
【発明の概要】
【発明が解決しようとする課題】
【０００５】
しかしながら、上述した従来技術では、たとえば基地局が複数のセルを形成する構成において、待ち受け状態の端末が特定のセルに集中する場合があり、各セルの負荷状況などの各セルの状況に応じたセル間の負荷分散を行うことが困難である。【０００６】
１つの側面では、本発明は、各セルの状況に応じたセル間の負荷分散を行うことができる無線通信システム、無線装置および処理方法を提供することを目的とする。
【課題を解決するための手段】
【０００７】
上述した課題を解決し、目的を達成するため、本発明の一側面によれば、第１無線装置が、第２無線装置を待ち受け状態から接続状態に遷移させるページングメッセージであって複数のセルを示す情報を含むページングメッセージを送信し、前記第２無線装置が、前記第１無線装置によって送信された前記ページングメッセージに含まれる前記情報に基づいて選択したセルへの接続処理を行う無線通信システム、無線装置および処理方法が提案される。
【発明の効果】
【０００８】
本発明の一側面によれば、各セルの状況に応じたセル間の負荷分散を行うことができるという効果を奏する。
【図面の簡単な説明】
【０００９】
【図１】図１は、実施の形態１にかかる無線通信システムの一例を示す図である。
【図２】図２は、図１に示した無線通信システムにおける信号の流れの一例を示す図である。
【図３】図３は、実施の形態１にかかる第１無線装置による処理の一例を示すフローチャートである。
【図４】図４は、実施の形態１にかかる第２無線装置による処理の一例を示すフローチャートである。
【図５】図５は、実施の形態２にかかる無線通信システムの一例を示す図である。
【図６】図６は、実施の形態２にかかる基地局の一例を示す図である。
【図７】図７は、図６に示した基地局における信号の流れの一例を示す図である。
【図８】図８は、基地局のハードウェア構成の一例を示す図である。
【図９】図９は、実施の形態２にかかる端末の一例を示す図である。
【図１０】図１０は、図９に示した端末における信号の流れの一例を示す図である。
【図１１】図１１は、端末のハードウェア構成の一例を示す図である。
【図１２】図１２は、実施の形態２にかかる基地局による処理の一例を示すフローチャートである。
【図１３】図１３は、実施の形態２にかかる端末による処理の一例を示すフローチャートである。
【図１４】図１４は、実施の形態２にかかる無線通信システムによる処理の一例を示すシーケンス図である。
【図１５】図１５は、ページングメッセージの一例を示す図である。
【図１６】図１６は、ページングメッセージの別の例を示す図である。
【図１７】図１７は、報知情報更新間隔の一例を示す図である。
【図１８】図１８は、実施の形態２にかかる無線通信システムの変形例１を示す図である。
【図１９】図１９は、実施の形態２にかかる無線通信システムの変形例２を示す図である。
【図２０】図２０は、実施の形態３にかかる無線通信システムの一例を示す図である。
【図２１】図２１は、実施の形態３にかかる基地局による処理の一例を示すフローチャートである。
【図２２】図２２は、実施の形態３にかかる端末による処理の一例を示すフローチャートである。
【図２３】図２３は、実施の形態３にかかる無線通信システムによる処理の一例を示すシーケンス図である。
【発明を実施するための形態】
【００１０】
以下に図面を参照して、本発明にかかる無線通信システム、無線装置および処理方法の実施の形態を詳細に説明する。
【００１１】
（実施の形態１）
（実施の形態１にかかる無線通信システム）
図１は、実施の形態１にかかる無線通信システムの一例を示す図である。図２は、図１に示した無線通信システムにおける信号の流れの一例を示す図である。図１，図２に示すように、実施の形態１にかかる無線通信システム１００は、第１無線装置１１０と、第２無線装置１２０と、を含む。
【００１２】
第１無線装置１１０は、生成部１１１と、送信部１１２と、を備える無線通信装置である。たとえば、第１無線装置１１０は、端末との間で無線通信を行う基地局である。生成部１１１は、第２無線装置１２０を待ち受け状態から接続状態に遷移させるページングメッセージを生成し、生成したページングメッセージを送信部１１２へ出力する。
【００１３】
送信部１１２は、生成部１１１から出力されたページングメッセージを第２無線装置１２０へ無線送信する。たとえば、送信部１１２は、第１無線装置１１０が形成するセル内に、第２無線装置１２０へのページングメッセージを無線送信する。この結果、第１無線装置１１０が形成するセル内に第２無線装置１２０が在圏していれば、送信部１１２によって送信されたページングメッセージが第２無線装置１２０によって受信される。
【００１４】
待ち受け状態は、たとえば、基地局が形成するセルにおいて送信される信号を監視し、自装置の呼出を待ち受ける状態である。たとえば、待ち受け状態は無線リソース制御のアイドル状態である。接続状態は、たとえば、基地局を介してネットワークに接続し、通信可能な状態である。たとえば、接続状態は無線リソース制御のコネクテッド状態である。
【００１５】
第１無線装置１１０によるページングメッセージの生成および送信は、たとえば、第１無線装置１１０の上位局から第２無線装置１２０の呼出があった場合に行われる。第２無線装置１２０の呼出は、たとえば、第２無線装置１２０に対する音声通話の着信や、第２無線装置１２０に対するメールなどの信号の着信などによって発生する。
【００１６】
生成部１１１が生成するページングメッセージに含まれる情報は、第２無線装置１２０が接続するセルに関する情報である。第２無線装置１２０が接続するセルに関する情報は、たとえば複数のセルを示す情報である。複数のセルは、たとえば第１無線装置１１０が形成する各セルに含まれる複数のセルである。または、複数のセルは、第１無線装置１１０とは異なる無線装置が形成するセルを含んでいてもよい。すなわち、複数のセルは、異なる位置に設けられた複数の基地局によって形成された各セルを含んでいてもよい。また、複数のセルは、第１無線装置１１０が形成する複数のセルと、第１無線装置１１０とは異なる無線装置が形成する複数のセルと、の両方を含んでいてもよい。
【００１７】
また、複数のセルは、たとえば、周波数が互いに異なり、地理的に重複する部分を含む各セルである。たとえば、複数のセルは、周波数が互いに異なり同じ大きさのセルであってもよいし、周波数が互いに異なり異なる大きさのセルであってもよい。また、複数のセルには、第２無線装置１２０が在圏していなかったり、第２無線装置１２０における通信品質が低かったりして第２無線装置１２０が接続できないセルが含まれていてもよい。
【００１８】
また、生成部１１１が生成するページングメッセージは、複数のセルを示すとともに、該複数のセルにおける接続の優先順位を特定可能な情報を含むページングメッセージであってもよい。このページングメッセージに含まれる情報は、たとえば、複数のセルの各識別情報と、該複数のセルの優先順位を直接的に示す情報と、を含む情報である。複数のセルの優先順位を直接的に示す情報は、たとえば、複数のセルの各識別情報と、複数のセルの優先順位と、の対応情報である。
【００１９】
または、このページングメッセージに含まれる情報は、たとえば、複数のセルの各識別情報を、該複数のセルにおける接続の優先順位に応じた順序で並べた情報であってもよい。これにより、該優先順位を直接的に示す情報をページングメッセージに含めなくても、第２無線装置１２０は、ページングメッセージに含まれる該情報における各識別情報の並び順に基づいて該優先順位を特定することができる。このため、ページングメッセージのデータサイズの増加を抑えることができる。優先順位に応じた順序は、優先順位の昇順であってもよいし、降順であってもよい。
【００２０】
また、生成部１１１が生成するページングメッセージは、たとえば、接続候補の各セルの中から、該接続候補の各セルの負荷状況に基づいて選択されたセルを示す情報を含むページングメッセージである。セルの選択に用いるセルの負荷状況には、たとえば、セルの無線リソースの使用率、セルに対して接続中の端末の数、セルにおけるデータの滞留量（バッファリング量）など各種の状況を用いることができる。
【００２１】
接続候補の各セルは、たとえば第１無線装置１１０が形成する各セルに含まれる複数のセルである。または、接続候補の各セルは、第１無線装置１１０とは異なる無線装置が形成するセルを含んでいてもよい。また、接続候補の各セルは、たとえば、周波数が互いに異なり、地理的に重複する部分を含む複数のセルである。また、接続候補の各セルは、第２無線装置１２０が在圏していなかったり、第２無線装置１２０における通信品質が低かったりして第２無線装置１２０が接続できないセルを含んでいてもよい。
【００２２】
たとえば、接続候補の各セルが、第１無線装置１１０とは異なる無線装置が形成するセルを含む場合は、生成部１１１は、該異なる無線装置が形成するセルの負荷状況を示す情報を該異なる無線装置から受信する。そして、生成部１１１は、受信した負荷状況を示す情報に基づいて、接続候補の各セルの中から、ページングメッセージに含める情報が示す複数のセルを選択する。
【００２３】
第２無線装置１２０は、受信部１２１と、制御部１２２と、を備える無線通信装置である。たとえば、第２無線装置１２０は、基地局との間で無線通信を行う端末である。受信部１２１は、第１無線装置１１０から無線送信されたページングメッセージを受信し、受信したページングメッセージを制御部１２２へ出力する。
【００２４】
制御部１２２は、受信部１２１から出力されたページングメッセージに含まれる、第２無線装置１２０の接続に関するセルの情報に基づいて接続先のセルを選択する。制御部１２２による接続先のセルの選択については後述する。制御部１２２は、接続先として選択したセルへの接続処理を行う。たとえば、制御部１２２は、接続先として選択したセルへの接続を要求する信号を、接続先として選択したセルを形成する基地局（たとえば第１無線装置１１０）へ送信する接続処理を行う。接続を要求する信号は、一例としてはランダムアクセスチャネルの信号である。
【００２５】
つぎに、ページングメッセージに含める情報について説明する。たとえば、第１無線装置１１０は、第２無線装置１２０が優先的に接続すべき複数のセルを示す情報（たとえば複数のプリファラブルセルＩＤ）を含むページングメッセージを送信する。この場合に、第２無線装置１２０は、ページングメッセージに含まれる情報が示す該複数のセルの少なくともいずれかが所定条件を満たす場合は、該複数のセルのうちの所定条件を満たすセルへの接続処理を行う。また、第２無線装置１２０は、該複数のセルのいずれも所定条件を満たさない場合は、第２無線装置１２０が接続可能なセルのうちの該複数のセルとは異なるセルへの接続処理を行う。所定条件は、たとえば第２無線装置１２０における通信品質に関する条件である。第２無線装置１２０における通信品質は、たとえば、第２無線装置１２０がセルの無線信号を受信し、受信結果に基づいて算出可能な通信品質である。
【００２６】
または、第１無線装置１１０は、第２無線装置１２０が優先的に接続を回避すべき複数のセルを示す情報（たとえば複数のアンフェボラブルセルＩＤ）を含むページングメッセージを送信してもよい。この場合に、第２無線装置１２０は、接続可能なセルのうちの該複数のセルと異なるセルが所定条件を満たす場合は、該異なるセルへの接続処理を行う。また、第２無線装置１２０は、該異なるセルが所定条件を満たさない場合は、該複数のセルの少なくともいずれかへの接続処理を行う。
【００２７】
（実施の形態１にかかる第１無線装置による処理）
図３は、実施の形態１にかかる第１無線装置による処理の一例を示すフローチャートである。実施の形態１にかかる第１無線装置１１０は、たとえば図３に示す各ステップを実行する。まず、第１無線装置１１０は、第２無線装置１２０を待ち受け状態から接続状態に遷移させるページングメッセージであって、複数のセルを示す情報を含むページングメッセージを生成する（ステップＳ３０１）。
【００２８】
ステップＳ３０１において第１無線装置１１０がページングメッセージに含める情報は、たとえば、上述した第２無線装置１２０が優先的に接続すべき複数のセルを示す情報、または第２無線装置１２０が優先的に接続を回避すべき複数のセルを示す情報である。第２無線装置１２０が優先的に接続すべき複数のセル、または第２無線装置１２０が優先的に接続を回避すべき複数のセルは、たとえば、第１無線装置１１０が接続候補の各セルの負荷状況に基づいて選択した複数のセルである。
【００２９】
つぎに、第１無線装置１１０は、ステップＳ３０１によって生成した第２無線装置１２０へのページングメッセージを送信し（ステップＳ３０２）、一連の処理を終了する。これにより、第１無線装置１１０は、第２無線装置１２０の接続に関する複数のセルを示す情報を含むページングメッセージを第２無線装置１２０へ送信することができる。
【００３０】
（実施の形態１にかかる第２無線装置による処理）
図４は、実施の形態１にかかる第２無線装置による処理の一例を示すフローチャートである。実施の形態１にかかる第２無線装置１２０は、たとえば図４に示す各ステップを実行する。まず、第２無線装置１２０は、複数のセルを示す情報を含むページングメッセージを第１無線装置１１０から受信する（ステップＳ４０１）。ステップＳ４０１において第２無線装置１２０が受信するページングメッセージは、たとえば図３に示したステップＳ３０２によって第１無線装置１１０が送信したページングメッセージである。
【００３１】
つぎに、第２無線装置１２０は、ステップＳ４０１によって受信したページングメッセージに含まれる複数のセルを示す情報に基づいて接続先のセルを選択する（ステップＳ４０２）。たとえば、複数のセルを示す情報が、第２無線装置１２０が優先的に接続すべき複数のセルを示す情報である場合は、第２無線装置１２０は、ページングメッセージに含まれる情報が示す複数のセルを優先的に接続先として選択する。また、複数のセルを示す情報が、第２無線装置１２０が優先的に接続を回避すべき複数のセルを示す情報である場合は、第２無線装置１２０は、ページングメッセージに含まれる情報が示す複数のセル以外のセルを優先的に接続先として選択する。
【００３２】
つぎに、第２無線装置１２０は、ステップＳ４０２によって選択した接続先のセルへの接続処理を行い（ステップＳ４０３）、一連の処理を終了する。これにより、第２無線装置１２０は、第１無線装置１１０からページングメッセージを用いて通知された複数のセルに基づいて接続先のセルを選択し、選択した接続先のセルに接続することができる。
【００３３】
このように、実施の形態１によれば、第１無線装置１１０が接続に関するセルを示す情報をページングメッセージに含めて第２無線装置１２０へ送信し、第２無線装置１２０が該情報に基づいて選択したセルへの接続処理を行うことができる。これにより、第１無線装置１１０が、周波数キャリアの状況に応じて、第２無線装置１２０を含む各無線装置の接続先を分散させることが可能になる。このため、周波数キャリアの各セルの状況に応じたセル間の負荷分散を行うことができる。
【００３４】
また、第１無線装置１１０が接続に関する複数のセルを示す情報をページングメッセージに含めて送信することで、柔軟な負荷分散が可能になる。たとえば、負荷が少ない複数のセルを第２無線装置１２０に通知することで、第２無線装置１２０は、負荷が少ない複数のセルの中から、所定の通信品質を満たすセルや、より通信品質の高いセルを選択して接続することが可能になる。また、たとえば、負荷が多い複数のセルが存在する場合に、負荷が多い複数のセルを第２無線装置１２０に通知し、該複数のセルへの第２無線装置１２０の接続を抑制することが可能になる。
【００３５】
次に、実施の形態１に対応する構成例について、実施の形態２，３において説明する。
【００３６】
（実施の形態２）
（実施の形態２にかかる無線通信システム）
図５は、実施の形態２にかかる無線通信システムの一例を示す図である。図５に示すように、実施の形態２にかかる無線通信システム５００は、基地局５１０と、端末５２０と、を含む。基地局５１０は、たとえばＬＴＥ（Ｌｏｎｇ  Ｔｅｒｍ  Ｅｖｏｌｕｔｉｏｎ）のｅＮＢなどの基地局である。端末５２０は、たとえばＬＴＥのＵＥ（Ｕｓｅｒ  Ｅｑｕｉｐｍｅｎｔ）などの端末である。セル５０１〜５０３は、基地局５１０が形成するセルである。セル５０１〜５０３の周波数は、それぞれ周波数ｆ１〜ｆ３（ｆ１≠ｆ２≠ｆ３）である。図５に示す例では、周波数が違えば異なるセル（周波数キャリア）である。
【００３７】
基地局５１０は、端末５２０の呼出が発生した場合に、ページング（無線呼び出し）を行って端末５２０をＩＤＬＥモード（待ち受け状態）からＣＯＮＮＥＣＴＥＤモード（接続状態）に遷移させる。ＩＤＬＥモードおよびＣＯＮＮＥＣＴＥＤモードは、たとえば、ＴＳ３６．３３１  Ｖ１２．３．０に規定されたＲＲＣ（Ｒａｄｉｏ  Ｒｅｓｏｕｒｃｅ  Ｃｏｎｔｒｏｌ）  ＩＤＬＥおよびＲＲＣ  ＣＯＮＮＥＣＴＥＤである。
【００３８】
基地局５１０は、ページングの際に端末５２０へ送信するページング信号に含まれるページングメッセージに、プリファラブルセルＩＤ（ｐｒｅｆｅｒａｂｌｅ  ｃｅｌｌ  ＩＤ）を格納する。プリファラブルセルＩＤは、端末５２０が接続することが好ましいセル（プリファラブルセル）のＩＤである。すなわち、プリファラブルセルＩＤは、端末５２０が優先的に接続すべきセルを示す情報である。
【００３９】
基地局５１０が送信するページングメッセージには、複数のプリファラブルセルＩＤが含まれていてもよい。この場合に、複数のプリファラブルセルＩＤには、端末５２０が接続することが好ましい順序が指定されていてもよい。たとえば、ページングメッセージには、端末５２０が接続することが最も好ましいセルのＩＤ（１ｓｔプリファラブルセルＩＤ）、端末５２０が接続することが２番目に好ましいセルのＩＤ（２ｎｄプリファラブルセルＩＤ）、…が含まれていてもよい。
【００４０】
たとえば、基地局５１０が複数ある場合は、複数の基地局５１０がプリファラブルセルを決定することができる。すなわち、プリファラブルセルＩＤは、ページングメッセージを送信する複数の基地局５１０のそれぞれで異なっていてもよい。
【００４１】
また、基地局５１０は、ページングメッセージを送信するごとにプリファラブルセルを決定し、決定したプリファラブルセルのＩＤをページングメッセージに含めてもよい。これにより、ページングメッセージが送信されるごとに、そのときに好ましいセルを示すプリファラブルセルＩＤを送信することができる。
【００４２】
たとえば、基地局５１０は、セル５０１〜５０３の中から、セル５０１〜５０３の各負荷状況（負荷状態）に基づいてプリファラブルセルを選択する。そして、基地局５１０は、選択したセルのＩＤ（プリファラブルセルＩＤ）を、端末５２０へ送信するページングメッセージに含める。
【００４３】
これにより、空いているセルをプリファラブルセルとして端末５２０に通知することができる。セルの負荷状況としては、一例としては、ＲＢ（Ｒｅｓｏｕｒｃｅ  Ｂｌｏｃｋ：リソースブロック）の使用率、セルに対して接続中（ＣＯＮＮＥＣＴＥＤモード）の端末の数、セルにおけるデータの滞留量（バッファリング量）などを用いることができる。
【００４４】
端末５２０は、自局宛のページングメッセージを基地局５１０から受信すると、ページングメッセージ内にあるプリファラブルセルＩＤに基づいて、自局が接続するセルを決定し、決定したセルへの接続処理を行う。この接続処理は、たとえば接続すると決定したセルの基地局（たとえば基地局５１０）へランダムアクセス信号を送信することにより、接続すると決定したセルに接続する処理である。
【００４５】
たとえば、端末５２０は、プリファラブルセルＩＤで指定されるプリファラブルセルの通信品質（たとえば受信品質）に基づいて、該プリファラブルセルに接続可能か否かを判断する。たとえば、端末５２０は、プリファラブルセルの通信品質が閾値を超えるか否かに基づいて、該プリファラブルセルに接続可能か否かを判断する。
【００４６】
通信品質としては、たとえば、ＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）、ＲＳＲＱ（Ｒｅｆｅｒｅｎｃｅ  Ｓｉｇｎａｌ  Ｒｅｃｅｉｖｅｄ  Ｑｕａｌｉｔｙ：基準信号受信品質）、ＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）などを用いることができる（たとえばＴＳ３６．３０４  Ｖ１２．２．０参照）。
【００４７】
端末５２０は、プリファラブルセルに接続できると判断した場合にはプリファラブルセルに接続する。また、端末５２０は、プリファラブルセルに接続できないと判断した場合には、プリファラブルセル以外のセルのうちの最も条件のよいセルに接続する。最も条件のよいセルは、たとえば通信品質が最も高いセルである。また、この場合に、端末５２０は、周波数ごとに設定された優先度に基づいて、プリファラブルセル以外のセルの中から接続先のセルを選択してもよい。
【００４８】
このように、ページングメッセージにプリファラブルセルＩＤを含ませることにより、負荷の小さいセルに端末５２０を接続させ、ＣＯＮＮＥＣＴＥＤモードでの接続先のセルを分散させる負荷分散を行うことができる。プリファラブルセルＩＤは、基地局５１０と異なる基地局やＲＲＨ（Ｒｅｍｏｔｅ  Ｒａｄｉｏ  Ｈｅａｄ：無線部）のセルのＩＤにしてもよい。これにより、周辺セルとの負荷分散を行うことができる。また、ＨｅｔＮｅｔ（Ｈｅｔｅｒｏｇｅｎｅｏｕｓ  Ｎｅｔｗｏｒｋ）にも適用が可能になる。
【００４９】
また、図５に示す例は、１つの基地局５１０が複数の周波数キャリアを用いて複数のセル（セル５０１〜５０３）を構成する例である。基地局５１０は、自局がサービスするセル５０１〜５０３の負荷状況を取得し、セル５０１〜５０３の中から端末５２０に接続させるのに好ましいセルを決定し、決定したセルのＩＤ（プリファラブルセルＩＤ）をページングメッセージに含めて送信する。
【００５０】
基地局５１０は、端末５２０がいずれの周波数で待ち受けしているかの情報を有していない。これは、端末５２０は複数のセルからなる位置登録エリアをまたいで移動した場合のみ位置登録を行うためである。このため、基地局５１０は、位置登録エリア内の各周波数のセルによって端末５２０へのページングメッセージを送信する。また、ページング周期はセルごとに設定可能であるため、各周波数におけるページングメッセージの送信は同時とは限らない。また、プリファラブルセルＩＤは、各セルへ送信するページングメッセージごとに異なっていてもよい。
【００５１】
図１，図２に示した第１無線装置１１０は、たとえば基地局５１０により実現することができる。図１，図２に示した第２無線装置１２０は、たとえば端末５２０により実現することができる。
【００５２】
（実施の形態２にかかる基地局）
図６は、実施の形態２にかかる基地局の一例を示す図である。図７は、図６に示した基地局における信号の流れの一例を示す図である。図６，図７に示すように、実施の形態２にかかる基地局５１０は、受信部６０１と、負荷状況取得部６０２と、制御部６０３と、ページングメッセージ生成部６０４と、送信処理部６０５と、送信アンテナ６０６と、を備える。また、基地局５１０は、受信アンテナ６０７と、受信処理部６０８と、接続信号検出部６０９と、を備える。
【００５３】
受信部６０１は、基地局５１０の上位局からの制御信号を受信する。基地局５１０の上記局は、たとえばＭＭＥ（Ｍｏｂｉｌｉｔｙ  Ｍａｎａｇｅｍｅｎｔ  Ｅｎｔｉｔｙ：移動性管理エンティティ）である。受信部６０１による制御信号の受信は、たとえばＳ１インタフェースを用いることができる。受信部６０１が受信する制御信号には、基地局５１０の配下の端末についてのページング起動要求（ページング）が含まれる。受信部６０１は、受信した制御信号を制御部６０３へ出力する。
【００５４】
負荷状況取得部６０２は、基地局５１０の各セルにおける負荷状況を示す負荷情報を取得する。負荷情報は、上述したセルの負荷状況を示す各種の情報である。たとえば、負荷状況取得部６０２は、自局のセルについての負荷情報を、たとえば自局のスケジューリング処理に基づいて取得することができる。また、負荷状況取得部６０２は、他局のセルについての負荷情報を、基地局間インタフェースを介して他局から取得することができる。基地局間インタフェースには、たとえばＸ２インタフェースを用いることができる。負荷状況取得部６０２は、取得した負荷情報を制御部６０３へ出力する。
【００５５】
制御部６０３は、受信部６０１から出力された制御信号にページング起動要求が含まれていた場合に、負荷状況取得部６０２から出力された負荷情報に基づいて、ページングの対象の端末（たとえば端末５２０）が接続することが好ましいセル（プリファラブルセル）を決定する。そして、制御部６０３は、決定したプリファラブルセルのＩＤ（プリファラブルセルＩＤ）をページングメッセージ生成部６０４へ出力する。
【００５６】
ページングメッセージ生成部６０４は、制御部６０３から出力されたプリファラブルセルＩＤを含むページングメッセージを生成する。そして、ページングメッセージ生成部６０４は、生成したページングメッセージを送信処理部６０５へ出力する。
【００５７】
送信処理部６０５は、ページングメッセージ生成部６０４から出力されたページングメッセージの送信処理を行う。送信処理部６０５による送信処理には、たとえば、デジタル信号からアナログ信号への変換、ベースバンド帯からＲＦ（Ｒａｄｉｏ  Ｆｒｅｑｕｅｎｃｙ：高周波）帯への周波数変換、増幅などが含まれる。送信処理部６０５は、送信処理を行った信号を送信アンテナ６０６へ出力する。送信アンテナ６０６は、送信処理部６０５から出力された信号を端末（たとえば端末５２０）へ無線送信する。
【００５８】
受信アンテナ６０７は、端末（たとえば端末５２０）から無線送信された信号を受信し、受信した信号を受信処理部６０８へ出力する。受信処理部６０８は、受信アンテナ６０７から出力された信号の受信処理を行う。受信処理部６０８による受信処理には、たとえば、増幅、ＲＦ帯からベースバンド帯への周波数変換、アナログ信号からデジタル信号への変換などが含まれる。受信処理部６０８は、受信処理を行った信号を接続信号検出部６０９へ出力する。
【００５９】
接続信号検出部６０９は、受信処理部６０８から出力された信号に含まれる、端末からの接続信号を検出する。端末からの接続信号は、たとえば、送信アンテナ６０６によって送信されたページングメッセージに対して端末５２０から送信されたＲＡＣＨ（Ｒａｎｄｏｍ  Ａｃｃｅｓｓ  Ｃｈａｎｎｅｌ：ランダムアクセスチャネル）の接続信号である。接続信号検出部６０９は、検出した接続信号を制御部６０３へ出力する。
【００６０】
制御部６０３は、接続信号検出部６０９から出力された接続信号に基づいて、端末（たとえば端末５２０）のセルへの接続処理を行う。これにより、端末をＣＯＮＮＥＣＴＥＤモードに遷移させ、端末をセルに接続させることができる。
【００６１】
図１，図２に示した生成部１１１は、たとえば制御部６０３およびページングメッセージ生成部６０４により実現することができる。図１，図２に示した送信部１１２は、たとえば送信処理部６０５および送信アンテナ６０６により実現することができる。
【００６２】
図８は、基地局のハードウェア構成の一例を示す図である。図６，図７に示した基地局５１０は、たとえば図８に示す通信装置８００により実現することができる。通信装置８００は、ＣＰＵ８０１と、メモリ８０２と、無線通信インタフェース８０３と、有線通信インタフェース８０４と、を備える。ＣＰＵ８０１、メモリ８０２、無線通信インタフェース８０３および有線通信インタフェース８０４は、バス８０９によって接続される。
【００６３】
ＣＰＵ８０１（Ｃｅｎｔｒａｌ  Ｐｒｏｃｅｓｓｉｎｇ  Ｕｎｉｔ）は、通信装置８００の全体の制御を司る。メモリ８０２には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＣＰＵ８０１のワークエリアとして使用される。補助メモリは、たとえば磁気ディスク、光ディスク、フラッシュメモリなどの不揮発メモリである。補助メモリには、通信装置８００を動作させる各種のプログラムが記憶されている。補助メモリに記憶されたプログラムは、メインメモリにロードされてＣＰＵ８０１によって実行される。
【００６４】
無線通信インタフェース８０３は、無線によって通信装置８００の外部（たとえば端末５２０）との間で通信を行う通信インタフェースである。無線通信インタフェース８０３は、ＣＰＵ８０１によって制御される。
【００６５】
有線通信インタフェース８０４は、有線によって通信装置８００の外部（たとえば基地局５１０の上位局や他の基地局）との間で通信を行う通信インタフェースである。有線通信インタフェース８０４は、ＣＰＵ８０１によって制御される。有線通信インタフェース８０４には、たとえば上述したＳ１インタフェースやＸ２インタフェースが含まれる。
【００６６】
図６，図７に示した受信部６０１は、たとえば有線通信インタフェース８０４により実現することができる。図６，図７に示した負荷状況取得部６０２は、たとえばＣＰＵ８０１や有線通信インタフェース８０４により実現することができる。図６，図７に示した制御部６０３、ページングメッセージ生成部６０４および接続信号検出部６０９は、たとえばＣＰＵ８０１により実現することができる。図６，図７に示した送信処理部６０５、送信アンテナ６０６、受信アンテナ６０７および受信処理部６０８は、たとえば無線通信インタフェース８０３により実現することができる。
【００６７】
（実施の形態２にかかる端末）
図９は、実施の形態２にかかる端末の一例を示す図である。図１０は、図９に示した端末における信号の流れの一例を示す図である。図９，図１０に示すように、実施の形態２にかかる端末５２０は、受信アンテナ９０１と、受信処理部９０２と、ページングメッセージ検出部９０３と、制御部９０４と、接続信号生成部９０５と、送信処理部９０６と、送信アンテナ９０７と、を備える。
【００６８】
受信アンテナ９０１は、基地局（たとえば基地局５１０）から無線送信された信号を受信し、受信した信号を受信処理部９０２へ出力する。受信処理部９０２は、受信アンテナ９０１から出力された信号の受信処理を行う。受信処理部９０２による受信処理には、たとえば、増幅、ＲＦ帯からベースバンド帯への周波数変換、アナログ信号からデジタル信号への変換などが含まれる。受信処理部９０２は、受信処理を行った信号をページングメッセージ検出部９０３へ出力する。
【００６９】
ページングメッセージ検出部９０３は、受信処理部９０２から出力された信号に含まれるページングメッセージを検出する。そして、ページングメッセージ検出部９０３は検出したページングメッセージを制御部９０４へ出力する。
【００７０】
制御部９０４は、ページングメッセージ検出部９０３から出力されたページングメッセージに含まれるプリファラブルセルＩＤを抽出する。そして、制御部９０４は、抽出したプリファラブルセルＩＤが示すセルに接続可能な場合は、プリファラブルセルＩＤが示すセルを接続先のセルとして決定する。また、制御部９０４は、抽出したプリファラブルセルＩＤが示すセルに接続できない場合は、プリファラブルセルＩＤが示すセルとは異なるセルを接続先のセルとして決定する。そして、制御部９０４は、決定した接続先のセルを接続信号生成部９０５へ通知する。
【００７１】
接続信号生成部９０５は、制御部９０４から通知された接続先のセルに接続するための接続信号を生成する。接続信号生成部９０５が生成する接続信号は、たとえばＲＡＣＨの接続信号である。接続信号生成部９０５は、生成した接続信号を送信処理部９０６へ出力する。
【００７２】
送信処理部９０６は、接続信号生成部９０５から出力された接続信号の送信処理を行い、送信処理を行った信号を送信アンテナ９０７へ出力する。送信処理部９０６による送信処理には、たとえば、デジタル信号からアナログ信号への変換、ベースバンド帯からＲＦ帯への周波数変換、増幅などが含まれる。送信アンテナ９０７は、送信処理部９０６から出力された信号を基地局（たとえば基地局５１０）へ無線送信する。
【００７３】
図１，図２に示した受信部１２１は、たとえば受信アンテナ９０１、受信処理部９０２およびページングメッセージ検出部９０３により実現することができる。図１，図２に示した制御部１２２は、たとえば制御部９０４、接続信号生成部９０５、送信処理部９０６および送信アンテナ９０７により実現することができる。
【００７４】
図１１は、端末のハードウェア構成の一例を示す図である。図９，図１０に示した端末５２０は、たとえば図１１に示す通信装置１１００により実現することができる。通信装置１１００は、ＣＰＵ１１０１と、メモリ１１０２と、ユーザインタフェース１１０３と、無線通信インタフェース１１０４と、を備える。ＣＰＵ１１０１、メモリ１１０２、ユーザインタフェース１１０３および無線通信インタフェース１１０４は、バス１１０９によって接続される。
【００７５】
ＣＰＵ１１０１は、通信装置１１００の全体の制御を司る。メモリ１１０２には、たとえばメインメモリおよび補助メモリが含まれる。メインメモリは、たとえばＲＡＭである。メインメモリは、ＣＰＵ１１０１のワークエリアとして使用される。補助メモリは、たとえば磁気ディスク、フラッシュメモリなどの不揮発メモリである。補助メモリには、通信装置１１００を動作させる各種のプログラムが記憶されている。補助メモリに記憶されたプログラムは、メインメモリにロードされてＣＰＵ１１０１によって実行される。
【００７６】
ユーザインタフェース１１０３は、たとえば、ユーザからの操作入力を受け付ける入力デバイスや、ユーザへ情報を出力する出力デバイスなどを含む。入力デバイスは、たとえばキー（たとえばキーボード）やリモコンなどにより実現することができる。出力デバイスは、たとえばディスプレイやスピーカなどにより実現することができる。また、タッチパネルなどによって入力デバイスおよび出力デバイスを実現してもよい。ユーザインタフェース１１０３は、ＣＰＵ１１０１によって制御される。
【００７７】
無線通信インタフェース１１０４は、無線によって通信装置１１００の外部（たとえば基地局５１０や他の端末）との間で通信を行う通信インタフェースである。無線通信インタフェース１１０４は、ＣＰＵ１１０１によって制御される。
【００７８】
図９，図１０に示した受信アンテナ９０１、受信処理部９０２、送信処理部９０６および送信アンテナ９０７は、たとえば無線通信インタフェース１１０４により実現することができる。図９，図１０に示したページングメッセージ検出部９０３、制御部９０４および接続信号生成部９０５は、たとえばＣＰＵ１１０１により実現することができる。
【００７９】
（実施の形態２にかかる基地局による処理）
図１２は、実施の形態２にかかる基地局による処理の一例を示すフローチャートである。実施の形態２にかかる基地局５１０は、たとえば図１２に示す各ステップを実行する。まず、基地局５１０は、基地局５１０の上位局からの端末５２０の呼出が発生したか否かを判断し（ステップＳ１２０１）、上位局からの端末５２０の呼出が発生するまで待つ（ステップＳ１２０１：Ｎｏのループ）。基地局５１０の上位局は、上述したようにたとえばＭＭＥである。上位局からの端末５２０の呼出が発生したか否かは、たとえば上位局からページング起動要求を受信したか否かによって判断することができる。
【００８０】
ステップＳ１２０１において、上位局からの端末５２０の呼出が発生すると（ステップＳ１２０１：Ｙｅｓ）、基地局５１０は、基地局５１０の配下のセルの負荷状況を示す負荷情報を取得する（ステップＳ１２０２）。つぎに、基地局５１０は、ステップＳ１２０２によって取得した負荷情報に基づいて、端末５２０についてのプリファラブルセルを決定する（ステップＳ１２０３）。
【００８１】
つぎに、基地局５１０は、ステップＳ１２０３によって決定したプリファラブルセルを示すＩＤ（プリファラブルセルＩＤ）を含むページングメッセージを生成する（ステップＳ１２０４）。つぎに、基地局５１０は、ステップＳ１２０４によって生成したページングメッセージを端末５２０へ送信し（ステップＳ１２０５）、一連の処理を終了する。
【００８２】
また、ステップＳ１２０２において、基地局５１０は、基地局５１０の自セルだけではなく、周辺セルの負荷状況を示す負荷情報を取得してもよい。この場合は、基地局５１０は、ステップＳ１２０３において決定するプリファラブルセルの候補に周辺セルも加える。周辺セルの負荷状況は、たとえば周辺セルを形成する基地局５１０の周辺基地局から基地局間インタフェースを用いて取得することができる。
【００８３】
図１２に示した各ステップの後に、基地局５１０は、端末５２０から送信される接続信号を受信した場合に、受信した接続信号に基づいて端末５２０の接続処理を行う。ただし、端末５２０が基地局５１０のセルに在圏していない場合や、端末５２０が基地局５１０のセルとは異なるセルを接続先として選択した場合は、端末５２０は基地局５１０へ接続信号を送信せず、基地局５１０は端末５２０の接続処理を行わない。
【００８４】
（実施の形態２にかかる端末による処理）
図１３は、実施の形態２にかかる端末による処理の一例を示すフローチャートである。実施の形態２にかかる端末５２０は、たとえば図１３に示す各ステップを実行する。まず、端末５２０は、基地局５１０から自局宛のページングメッセージを検出（受信）したか否かを判断し（ステップＳ１３０１）、自局宛のページングメッセージを検出するまで待つ（ステップＳ１３０１：Ｎｏのループ）。
【００８５】
ステップＳ１３０１において、自局宛のページングメッセージを検出すると（ステップＳ１３０１：Ｙｅｓ）、端末５２０は、検出したページングメッセージに含まれるプリファラブルセルＩＤを抽出する（ステップＳ１３０２）。
【００８６】
つぎに、端末５２０は、ステップＳ１３０２によって抽出したプリファラブルセルＩＤに基づいて、自局が接続するセルを決定する（ステップＳ１３０３）。たとえば、端末５２０は、端末５２０が接続可能なセルのうちの、抽出したプリファラブルセルＩＤが示すセルを優先的に、自局が接続するセルとして決定する。
【００８７】
つぎに、端末５２０は、ステップＳ１３０３によって自局が接続するセルとして決定したセルへの接続処理を行い（ステップＳ１３０４）、一連の処理を終了する。ステップＳ１３０４において、たとえば、端末５２０は、自局が接続するセルとして決定したセルへ接続するためのＲＡＣＨの接続信号を基地局５１０へ送信する。
【００８８】
（実施の形態２にかかる無線通信システムによる処理）
図１４は、実施の形態２にかかる無線通信システムによる処理の一例を示すシーケンス図である。実施の形態２にかかる無線通信システム５００においては、たとえば図１４に示す各ステップが実行される。図１４に示す上位局１４１０は、基地局５１０の上位局であって、たとえば基地局５１０が接続するＭＭＥである。図１４に示す第１端末１４２１および第２端末１４２２のそれぞれは、上述した端末５２０に対応する端末である。
【００８９】
まず、上位局１４１０において、第１端末１４２１の呼出が発生したとする（ステップＳ１４０１）。この場合に、上位局１４１０は、第１端末１４２１についてのページング起動を要求するページングメッセージを基地局５１０へ送信する（ステップＳ１４０２）。たとえば、上位局１４１０は、端末５２０のトラッキングエリアにおける各基地局（基地局５１０を含む）に対して、Ｓ１ＡＰ（Ｓ１  Ａｐｐｌｉｃａｔｉｏｎ  Ｐｒｏｔｏｃｏｌ：Ｓ１アプリケーションプロトコル）を用いてページングメッセージを送信する（たとえばＴＳ３６．３００  Ｖ１２．３．０参照）。
【００９０】
つぎに、基地局５１０が、基地局５１０の配下のセルの負荷状況を示す負荷情報を取得する（ステップＳ１４０３）。つぎに、基地局５１０は、ステップＳ１４０３によって取得した負荷情報に基づいて、第１端末１４２１についてのプリファラブルセルを決定する（ステップＳ１４０４）。
【００９１】
つぎに、基地局５１０は、ステップＳ１４０４によって決定したプリファラブルセルを示すＩＤ（プリファラブルセルＩＤ）を含む第１端末１４２１へのページングメッセージを生成する（ステップＳ１４０５）。つぎに、基地局５１０は、ステップＳ１４０５によって生成した第１端末１４２１へのページングメッセージを送信する（ステップＳ１４０６）。
【００９２】
つぎに、第１端末１４２１が、ステップＳ１４０６によって送信された自局宛のページングメッセージを検出する（ステップＳ１４０７）。つぎに、第１端末１４２１は、ステップＳ１４０７によって検出したページングメッセージに含まれるプリファラブルセルＩＤを抽出する（ステップＳ１４０８）。
【００９３】
つぎに、第１端末１４２１は、ステップＳ１４０８によって抽出したプリファラブルセルＩＤに基づいて、自局が接続するセルを決定する（ステップＳ１４０９）。つぎに、第１端末１４２１は、ステップＳ１４０９によって自局が接続するセルとして決定したセルへの接続処理を行う（ステップＳ１４１０）。
【００９４】
つぎに、上位局１４１０において、第２端末１４２２の呼出が発生したとする（ステップＳ１４１１）。この場合に、上位局１４１０は、第２端末１４２２についてのページング起動要求を基地局５１０へ送信する（ステップＳ１４１２）。
【００９５】
つぎに、基地局５１０が、基地局５１０の配下のセルの負荷状況を示す負荷情報を取得する（ステップＳ１４１３）。つぎに、基地局５１０は、ステップＳ１４１３によって取得した負荷情報に基づいて、第２端末１４２２についてのプリファラブルセルを決定する（ステップＳ１４１４）。
【００９６】
つぎに、基地局５１０は、ステップＳ１４１４によって決定したプリファラブルセルを示すＩＤ（プリファラブルセルＩＤ）を含む第２端末１４２２へのページングメッセージを生成する（ステップＳ１４１５）。つぎに、基地局５１０は、ステップＳ１４１５によって生成した第２端末１４２２へのページングメッセージを送信する（ステップＳ１４１６）。
【００９７】
つぎに、第２端末１４２２が、ステップＳ１４１６によって送信された自局宛のページングメッセージを検出する（ステップＳ１４１７）。つぎに、第２端末１４２２は、ステップＳ１４１７によって検出したページングメッセージに含まれるプリファラブルセルＩＤを抽出する（ステップＳ１４１８）。
【００９８】
つぎに、第２端末１４２２は、ステップＳ１４１８によって抽出したプリファラブルセルＩＤに基づいて、自局が接続するセルを決定する（ステップＳ１４１９）。つぎに、第２端末１４２２は、ステップＳ１４１９によって自局が接続するセルとして決定したセルへの接続処理を行う（ステップＳ１４２０）。
【００９９】
このように、無線通信システム５００においては、端末の呼出が発生するごとに、そのときの各セルの負荷状況を示す負荷情報に基づいてプリファラブルセルを決定し、呼出対象の端末に対してページングメッセージを用いてプリファラブルセルが通知される。これにより、各セルの状況に応じた負荷分散が可能になる。
【０１００】
（ページングメッセージ）
図１５は、ページングメッセージの一例を示す図である。図１５に示すページングメッセージ１５００は、基地局５１０が送信するページングメッセージのデータ構造をＡＳＮ．１（Ａｂｓｔｒａｃｔ  Ｓｙｎｔａｘ  Ｎｏｔａｔｉｏｎ  Ｏｎｅ）により示したものである。図１５の符号１５０１，１５０２（下線部）に示すように、基地局５１０は、たとえば、ページングメッセージに含まれる「ＰａｇｉｎｇＲｅｃｏｒｄ」にプリファラブルセルＩＤ（ｐｒｅｆｅｒａｂｌｅ  ｃｅｌｌ  ＩＤ）を格納することができる。
【０１０１】
図１５に示した例は、たとえば、ＴＳ３６．３３１  Ｖ１２．３．０において定義されたページングメッセージに対してプリファラブルセルＩＤのフィールドを追加した例である。図１５に示す「ＰａｇｉｎｇＲｅｃｏｒｄＬｉｓｔ」は端末呼出用の情報である。「ＰａｇｉｎｇＲｅｃｏｒｄ」は「ｕｅ−Ｉｄｅｎｔｉｔｙ」および「ｃｎ−Ｄｏｍａｉｎ」を含む。
【０１０２】
「ｕｅ−Ｉｄｅｎｔｉｔｙ」は呼び出される端末の識別情報である。また、「ｕｅ−Ｉｄｅｎｔｉｔｙ」は、たとえばＳ−ＴＭＳＩ（ＳＡＥ  Ｔｅｍｐｏｒａｒｙ  Ｍｏｂｉｌｅ  Ｓｔａｔｉｏｎ  Ｉｄｅｎｔｉｔｙ）やＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）で示される。
【０１０３】
Ｓ−ＴＭＳＩは４０桁のビット列である。４０桁のビット列は、８桁のＭＭＥ  ＩＤと、３２桁の一時的なＵＥ  ＩＤと、からなる。ＩＭＳＩは６〜２１桁の１０進数からなる識別情報である。「ｃｎ−Ｄｏｍａｉｎ」は呼び出し元がパケット交換網か回線交換網かを示す情報である。
【０１０４】
図１６は、ページングメッセージの別の例を示す図である。基地局５１０は、たとえば図１６に示すページングメッセージ１５００を送信してもよい。図１６に示す符号１６０１〜１６０３（下線部）に示すように、基地局５１０は、ページングメッセージ１５００の「ｎｏｎＣｒｉｔｉｃａｌＥｘｔｅｎｓｉｏｎ」にプリファラブルセルＩＤ（ｐｒｅｆｅｒａｂｌｅ  ｃｅｌｌ  ＩＤ）を格納してもよい。なお、「１３ｘｙ」はバージョン番号を示す。これにより、たとえばＴＳ３６．３３１  Ｖ１２．３．０において定義されたページングメッセージに対して新たなフィールドを追加しなくても、ページングメッセージにプリファラブルセルＩＤを格納することができる。
【０１０５】
図１５，図１６に示した例において、プリファラブルセルＩＤ（ｐｒｅｆｅｒａｂｌｅ  ｃｅｌｌ  ＩＤ）には、たとえば各セルに割り当てられている９ビットのＰＣＩ（Ｐｈｙｓｉｃａｌ  Ｃｅｌｌ  Ｉｄｅｎｔｉｔｙ：物理セルＩＤ）を用いることができる。また、プリファラブルセルＩＤとして、ＰＣＩの一部のビットを用いてもよい。これにより、オーバーヘッドの増加を抑えることができる。ＰＣＩの一部のビットは、一例としてはＰＣＩの下位Ｘビット（Ｘは１〜８）である。この場合に、セルプランニングにおいて、同一基地局や隣接する基地局の構成するセルには下位Ｘビットが同じになるＰＣＩは割り当てないようにする。
【０１０６】
（報知情報更新間隔）
図１７は、報知情報更新間隔の一例を示す図である。図１７に示すテーブル１７００は、基地局５１０が送信する報知情報の更新間隔［ｍｓ］を示している。テーブル１７００において、ページング間隔［ｍｓ］は、基地局５１０において設定可能なページング間隔であって、ページングの送信機会の時間間隔である。報知情報更新間隔係数は、基地局５１０において設定可能な係数であって、ページング間隔に乗算される係数である。
【０１０７】
基地局５１０における報知情報の更新間隔は、テーブル１７００に示すように、たとえばページング間隔と報知情報更新間隔係数との乗算によって決定される。たとえば、基地局５１０において、ページング間隔が３２０［ｍｓ］に設定され、報知情報更新間隔係数が２に設定された場合は、報知情報の更新間隔は６４０［ｍｓ］となる。
【０１０８】
一例として、基地局５１０に対してアイドル状態で接続中の端末（たとえば端末５２０を含む）が１０００台であり、端末１台あたりの呼出間隔が１時間である場合について説明する。この場合は、任意の１台の端末が呼び出される平均間隔は３．６秒となる。
【０１０９】
たとえば、プリファラブルセルＩＤを報知情報によって送信すると仮定すると、接続候補の各セルの負荷状況が変動した場合に、テーブル１７００の斜線部で示した組み合わせにおいて報知情報の更新間隔が３．６秒より長くなる。このため、任意の１台の端末が呼び出される平均間隔に対してプリファラブルセルの更新が間に合わなくなる。この場合は、たとえば端末５２０が負荷の大きいセルを選択する場合があり、スループットの低下や呼損などの発生につながる。
【０１１０】
これに対して、ページング間隔は３２０〜２５６０［ｍｓ］であり、たとえば報知情報更新間隔の１／２〜１／１６である。このため、基地局５１０がプリファラブルセルＩＤをページングメッセージによって送信することにより、最新の負荷状況に応じて選択したプリファラブルセルを端末５２０へ通知することができる。したがって、端末５２０に対してより負荷の小さいセルに接続させて各セルの負荷を分散し、スループットの低下や呼損の発生を抑えることができる。
【０１１１】
（実施の形態２にかかる無線通信システムの変形例１）
図１８は、実施の形態２にかかる無線通信システムの変形例１を示す図である。図１８において、図５に示した部分と同様の部分については同一の符号を付して説明を省略する。図１８に示すように、無線通信システム５００は、マクロセル１８０１のエリア内にスモールセル１８０２，１８０３が形成される構成であってもよい。図１８に示す例では、基地局５１０は、マクロセル１８０１を形成するマクロ基地局である。マクロセル１８０１は、周波数ｆ１のセルである。
【０１１２】
基地局１８１１，１８１２は、たとえば、マクロセル１８０１のエリア内にスモールセル１８０２，１８０３を形成するスモール基地局である。スモールセル１８０２，１８０３のそれぞれは、たとえば周波数ｆ１と異なる周波数ｆ２のセルである。マクロセル１８０１およびスモールセル１８０２，１８０３の各セルＩＤは異なるＩＤである。
【０１１３】
この場合は、基地局５１０は、基地局間インタフェースを経由して基地局１８１１，１８１２からそれぞれスモールセル１８０２，１８０３の負荷状況を示す負荷情報を取得する。そして、基地局５１０は、自局のマクロセル１８０１の負荷情報と、基地局１８１１，１８１２から取得した負荷情報と、に基づいて、マクロセル１８０１およびスモールセル１８０２，１８０３の中から端末５２０のプリファラブルセルを決定する。
【０１１４】
また、上述したように、基地局５１０は、端末５２０がいずれの周波数で待ち受けしているかの情報を有していない。このため、基地局５１０は、位置登録エリア内の各周波数のセルによって端末５２０へのページングメッセージを送信する。また、ページング周期はセルごとに設定可能であるため、各周波数におけるページングメッセージの送信は同時とは限らない。また、プリファラブルセルＩＤは、各セルへ送信するページングメッセージごとに異なっていてもよい。
【０１１５】
基地局５１０がマクロセル１８０１を形成する場合について説明したが、基地局５１０が複数のセルを形成する構成としてもよい。同様に、スモールセル１８０２，１８０３のそれぞれが、複数のセルを形成する構成としてもよい。
【０１１６】
また、図１８に示した構成において、基地局１８１１，１８１２に代えて、基地局５１０から地理的に離れた基地局５１０のアンテナやＲＲＨを設け、このアンテナやＲＲＨによってスモールセル１８０２，１８０３を形成する構成としてもよい。
【０１１７】
この場合は、基地局５１０は、基地局５１０のアンテナやＲＲＨが形成するスモールセル１８０２，１８０３の負荷状況を示す負荷情報を取得し、取得した負荷情報に基づいて端末５２０のプリファラブルセルを決定する。
【０１１８】
（実施の形態２にかかる無線通信システムの変形例２）
図１９は、実施の形態２にかかる無線通信システムの変形例２を示す図である。図１９において、図５に示した部分と同様の部分については同一の符号を付して説明を省略する。図１９に示すように、無線通信システム５００は、スモールセル１９０１〜１９０９が密に展開（形成）される構成であってもよい。図１９に示す例では、無線通信システム５００は、基地局１９１１〜１９１９を含む。
【０１１９】
基地局１９１１〜１９１９は、それぞれが上述した基地局５１０に対応する基地局であって、それぞれスモールセル１９０１〜１９０９を形成するスモール基地局である。図１９に示す例では、スモールセル１９０１〜１９０９は、いずれも周波数ｆ１のセルである。ただし、スモールセル１９０１〜１９０９の周波数は互いに異なっていてもよい。また、図１９に示したスモールセル１９０１〜１９０９に対して、たとえばさらにマクロセルが重複していてもよい。
【０１２０】
一例として、基地局１９１５が、端末５２０についてのページング起動要求を基地局１９１５の上位局から受信した場合について説明する。基地局１９１５の上位局は、たとえばＭＭＥである。または、基地局１９１５の上位局は、マクロ基地局であってもよい。
【０１２１】
基地局１９１５は、基地局１９１５のスモールセル１９０５と、基地局１９１５の近隣の基地局のセル（たとえばスモールセル１９０１，１９０２，１９０４，１９０６〜１９０８）と、の負荷情報を取得する。基地局１９１５の近隣の基地局のセルの負荷情報は、たとえば基地局１９１５の近隣の基地局（たとえば基地局１９１１，１９１２，１９１４，１９１６〜１９１８）から基地局間インタフェースを経由して取得することができる。
【０１２２】
そして、基地局１９１５は、取得した負荷情報に基づいて端末５２０のプリファラブルセルを決定する。また、上述したように、基地局１９１５（基地局５１０）は、端末５２０がいずれの周波数で待ち受けしているかの情報を有していない。このため、基地局１９１５は、位置登録エリア内の各周波数のセルによって端末５２０へのページングメッセージを送信する。また、ページング周期はセルごとに設定可能であるため、各周波数におけるページングメッセージの送信は同時とは限らない。また、プリファラブルセルＩＤは、各セルへ送信するページングメッセージごとに異なっていてもよい。
【０１２３】
基地局１９１１〜１９１９がそれぞれスモールセル１９０１〜１９０９を形成する場合について説明したが、基地局１９１１〜１９１９がそれぞれ複数のスモールセルを形成する構成としてもよい。
【０１２４】
また、図１９に示した構成において、基地局１９１１〜１９１９に代えて、基地局５１０（マクロセル）から地理的に離れた基地局５１０のアンテナやＲＲＨを設け、このアンテナやＲＲＨによってスモールセル１９０１〜１９０９を形成する構成としてもよい。
【０１２５】
この場合は、基地局５１０は、基地局５１０のアンテナやＲＲＨが形成するスモールセル１９０１〜１９０９の負荷状況を示す負荷情報を取得し、取得した負荷情報に基づいて端末５２０のプリファラブルセルを決定する。
【０１２６】
このように、実施の形態２によれば、基地局（たとえば基地局５１０）が、接続することが好ましいセルを示すプリファラブルセルＩＤをページングメッセージに含めて端末（たとえば端末５２０）へ送信することができる。また、端末（たとえば端末５２０）が、該プリファラブルセルＩＤに基づいて選択したセルへの接続処理を行うことができる。これにより、基地局が、周波数キャリアの状況に応じて各端末の接続先を分散させることが可能になる。このため、周波数キャリアの各セルの状況に応じたセル間の負荷分散を行うことができる。
【０１２７】
（実施の形態３）
実施の形態３について、実施の形態２と異なる部分について説明する。実施の形態２においては、基地局５１０が、接続することが好ましいセル（プリファラブルセル）を示すプリファラブルセルＩＤをページングメッセージに格納して送信する場合について説明した。これに対して、実施の形態３においては、基地局５１０が、接続することが好ましくないセル（アンフェボラブルセル）を示すアンフェボラブルセルＩＤをページングメッセージに格納して送信する場合について説明する。
【０１２８】
（実施の形態３にかかる無線通信システム）
図２０は、実施の形態３にかかる無線通信システムの一例を示す図である。図２０において、図５に示した部分と同様の部分については同一の符号を付して説明を省略する。図２０に示すように、基地局５１０は、ページングの際に端末５２０へ送信するページング信号に含まれるページングメッセージに、アンフェボラブルセルＩＤ（ｕｎｆａｖｏｒａｂｌｅ  ｃｅｌｌ  ＩＤ）を格納する。アンフェボラブルセルＩＤは、端末５２０が接続することが好ましくないセル（アンフェボラブルセル）のＩＤである。すなわち、アンフェボラブルセルＩＤは、端末５２０が優先的に接続を回避すべきセルを示す情報である。
【０１２９】
基地局５１０が送信するページングメッセージには、複数のアンフェボラブルセルＩＤが含まれていてもよい。この場合に、複数のアンフェボラブルセルＩＤには、端末５２０が接続することが好ましくない順序が指定されていてもよい。たとえば、ページングメッセージには、端末５２０が接続することが最も好ましくないセルのＩＤ（１ｓｔアンフェボラブルセルＩＤ）、２番目に好ましくないセルのＩＤ（２ｎｄアンフェボラブルセルＩＤ）、…が含まれていてもよい。
【０１３０】
たとえば、基地局５１０が複数ある場合は、複数の基地局５１０がアンフェボラブルセルを決定することができる。すなわち、アンフェボラブルセルＩＤは、ページングメッセージを送信する複数の基地局５１０のそれぞれで異なっていてもよい。
【０１３１】
また、基地局５１０は、ページングメッセージを送信するごとにアンフェボラブルセルを決定し、決定したアンフェボラブルセルのＩＤをページングメッセージに含めてもよい。これにより、ページングメッセージが送信されるごとに、そのときに好ましくないセルを示すアンフェボラブルセルＩＤを送信することができる。
【０１３２】
たとえば、基地局５１０は、セル５０１〜５０３の中から、セル５０１〜５０３の各負荷状況（負荷状態）に基づいてアンフェボラブルセルを選択する。そして、基地局５１０は、選択したセルのＩＤ（アンフェボラブルセルＩＤ）を、端末５２０へ送信するページングメッセージに含める。これにより、混んでいるセルをアンフェボラブルセルとして端末５２０に通知することができる。
【０１３３】
端末５２０は、自局宛のページングメッセージを基地局５１０から受信すると、ページングメッセージ内にあるアンフェボラブルセルＩＤに基づいて、自局が接続するセルを決定し、決定したセルへの接続処理を行う。
【０１３４】
たとえば、端末５２０は、端末５２０が接続可能なセルのうちの、アンフェボラブルセルＩＤで指定されるアンフェボラブルセル以外のセルの通信品質（たとえば受信品質）に基づいて、該アンフェボラブルセル以外のセルに接続可能か否かを判断する。
【０１３５】
そして、端末５２０は、アンフェボラブルセル以外のセルに接続できると判断した場合には該アンフェボラブルセル以外のセルに接続する。また、端末５２０は、アンフェボラブルセル以外のセルに接続できないと判断した場合には、該アンフェボラブルセルに接続する。
【０１３６】
このように、ページングメッセージにアンフェボラブルセルＩＤを含ませることにより、負荷の大きいセルへの端末５２０の接続を抑制し、ＣＯＮＮＥＣＴＥＤモードでの接続先のセルを分散させる負荷分散を行うことができる。
【０１３７】
たとえば、基地局５１０は、端末５２０が接続可能な複数のセルのうちの、無線リソースの空きが少ないセルをアンフェボラブルセルとして決定する。これにより、端末５２０に対して、空きが少ないセルをアンフェボラブルセルとして通知することができる。
【０１３８】
端末５２０は、自局宛のページング信号を基地局５１０から受信すると、ページングメッセージ内にあるアンフェボラブルセルＩＤに基づいて、自局が接続するセルを決定し、決定したセルへの接続処理を行う。
【０１３９】
たとえば、端末５２０は、各セルの通信品質（たとえば受信品質）に基づいて、アンフェボラブルセルＩＤで指定されるセル以外のセルに接続できる場合は、該アンフェボラブルセルＩＤで指定されるセル以外のセルに接続する。また、端末５２０は、アンフェボラブルセルＩＤで指定されるセル以外のセルに接続できない場合は、アンフェボラブルセルＩＤで指定されるセルに接続する。
【０１４０】
また、図２０に示す例は、図５に示した例と同様に、１つの基地局５１０が複数の周波数キャリアを用いて複数のセルを構成する例である。これに対して、実施の形態３にかかる無線通信システム５００は、たとえば図１８に示したように、マクロセル１８０１のエリア内にスモールセル１８０２，１８０３が形成される構成であってもよい。また、実施の形態３にかかる無線通信システム５００は、たとえば図１９に示したように、スモールセル１９０１〜１９０９が密に展開（形成）される構成であってもよい。
【０１４１】
（実施の形態３にかかる基地局による処理）
図２１は、実施の形態３にかかる基地局による処理の一例を示すフローチャートである。実施の形態３にかかる基地局５１０は、たとえば図２１に示す各ステップを実行する。図２１に示すステップＳ２１０１，Ｓ２１０２は、図１２に示したステップＳ１２０１，Ｓ１２０２と同様である。ステップＳ２１０２のつぎに、基地局５１０は、ステップＳ２１０２によって取得した負荷情報に基づいて、端末５２０についてのアンフェボラブルセルを決定する（ステップＳ２１０３）。
【０１４２】
つぎに、基地局５１０は、ステップＳ２１０３によって決定したアンフェボラブルセルを示すＩＤ（アンフェボラブルセルＩＤ）を含むページングメッセージを生成する（ステップＳ２１０４）。つぎに、基地局５１０は、ステップＳ２１０４によって生成したページングメッセージを端末５２０へ送信し（ステップＳ２１０５）、一連の処理を終了する。
【０１４３】
また、ステップＳ２１０２において、基地局５１０は、基地局５１０の自セルだけではなく、周辺セルの負荷状況を示す負荷情報を取得してもよい。この場合は、基地局５１０は、ステップＳ２１０３において決定するアンフェボラブルセルの候補に周辺セルも加える。
【０１４４】
図２１に示した各ステップの後に、基地局５１０は、端末５２０から送信される接続信号を受信した場合に、受信した接続信号に基づいて端末５２０の接続処理を行う。ただし、端末５２０が基地局５１０のセルに在圏していない場合や、端末５２０が基地局５１０のセルとは異なるセルを接続先として選択した場合は、端末５２０は基地局５１０へ接続信号を送信せず、基地局５１０は端末５２０の接続処理を行わない。
【０１４５】
（実施の形態３にかかる端末による処理）
図２２は、実施の形態３にかかる端末による処理の一例を示すフローチャートである。実施の形態３にかかる端末５２０は、たとえば図２２に示す各ステップを実行する。図２２に示すステップＳ２２０１は、図１３に示したステップＳ１３０１と同様である。ステップＳ２２０１において、自局宛のページングメッセージを検出すると（ステップＳ２２０１：Ｙｅｓ）、端末５２０は、検出したページングメッセージに含まれるアンフェボラブルセルＩＤを抽出する（ステップＳ２２０２）。
【０１４６】
つぎに、端末５２０は、ステップＳ２２０２によって抽出したアンフェボラブルセルＩＤに基づいて、自局が接続するセルを決定する（ステップＳ２２０３）。たとえば、端末５２０は、端末５２０が接続可能なセルのうちの、抽出したアンフェボラブルセルＩＤが示すセルとは異なるセルを優先的に、自局が接続するセルとして決定する。
【０１４７】
つぎに、端末５２０は、ステップＳ２２０３によって自局が接続するセルとして決定したセルへの接続処理を行い（ステップＳ２２０４）、一連の処理を終了する。ステップＳ２２０４において、たとえば、端末５２０は、自局が接続するセルとして決定したセルへ接続するためのＲＡＣＨの接続信号を基地局５１０へ送信する。
【０１４８】
（実施の形態３にかかる無線通信システムによる処理）
図２３は、実施の形態３にかかる無線通信システムによる処理の一例を示すシーケンス図である。図２３において、図１４に示した部分と同様の部分については同一の符号を付して説明を省略する。実施の形態３にかかる無線通信システム５００においては、たとえば図２３に示す各ステップが実行される。
【０１４９】
図２３に示すステップＳ２３０１〜Ｓ２３０３は、図１４に示したステップＳ１４０１〜Ｓ１４０３と同様である。ステップＳ２３０３のつぎに、基地局５１０は、ステップＳ２３０３によって取得した負荷情報に基づいて、第１端末１４２１についてのアンフェボラブルセルを決定する（ステップＳ２３０４）。つぎに、基地局５１０は、ステップＳ２３０４によって決定したアンフェボラブルセルを示すＩＤ（アンフェボラブルセルＩＤ）を含むページングメッセージを生成する（ステップＳ２３０５）。
【０１５０】
図２３に示すステップＳ２３０６，Ｓ２３０７は、図１４に示したステップＳ１４０６，Ｓ１４０７と同様である。ステップＳ２３０７のつぎに、第１端末１４２１は、ステップＳ２３０７によって検出したページングメッセージに含まれるアンフェボラブルセルＩＤを抽出する（ステップＳ２３０８）。
【０１５１】
つぎに、第１端末１４２１は、ステップＳ２３０８によって抽出したアンフェボラブルセルＩＤに基づいて、自局が接続するセルを決定する（ステップＳ２３０９）。つぎに、第１端末１４２１は、ステップＳ２３０９によって自局が接続するセルとして決定したセルへの接続処理を行う（ステップＳ２３１０）。
【０１５２】
図２３に示すステップＳ２３１１〜Ｓ２３１３は、図１４に示したステップＳ１４１１〜Ｓ１４１３と同様である。ステップＳ２３１３のつぎに、基地局５１０は、ステップＳ２３１３によって取得した負荷情報に基づいて、第２端末１４２２についてのアンフェボラブルセルを決定する（ステップＳ２３１４）。つぎに、基地局５１０は、ステップＳ２３１４によって決定したアンフェボラブルセルを示すＩＤ（アンフェボラブルセルＩＤ）を含むページングメッセージを生成する（ステップＳ２３１５）。
【０１５３】
図２３に示すステップＳ２３１６，Ｓ２３１７は、図１４に示したステップＳ１４１６，Ｓ１４１７と同様である。ステップＳ２３１７のつぎに、第２端末１４２２は、ステップＳ２３１７によって検出したページングメッセージに含まれるアンフェボラブルセルＩＤを抽出する（ステップＳ２３１８）。
【０１５４】
つぎに、第２端末１４２２は、ステップＳ２３１８によって抽出したアンフェボラブルセルＩＤに基づいて、自局が接続するセルを決定する（ステップＳ２３１９）。つぎに、第２端末１４２２は、ステップＳ２３１９によって自局が接続するセルとして決定したセルへの接続処理を行う（ステップＳ２３２０）。
【０１５５】
このように、実施の形態３によれば、基地局（たとえば基地局５１０）が、接続することが好ましくないセルを示すアンフェボラブルセルＩＤをページングメッセージに含めて端末（たとえば端末５２０）へ送信することができる。また、端末（たとえば端末５２０）が、該アンフェボラブルセルＩＤに基づいて選択したセルへの接続処理を行うことができる。
【０１５６】
したがって、実施の形態２においては、接続が好ましいセルを端末に通知して該セルに優先的に接続させることができるのに対し、実施の形態３においては、接続が好ましくないセルを端末に通知して該セルへの接続を優先的に回避させることができる。このため、実施の形態３によれば、実施の形態２と同様に、基地局が、周波数キャリアの状況に応じて各端末の接続先を分散させることが可能になり、周波数キャリアの各セルの状況に応じたセル間の負荷分散を行うことができる。
【０１５７】
以上説明したように、無線通信システム、無線装置および処理方法によれば、各セルの状況に応じたセル間の負荷分散を行うことができる。
【０１５８】
たとえば、セル選択のために、基地局が端末に対して報知情報などを用いて周波数ごとの優先度を設定することも考えられる。しかしながら、この場合は優先度情報が各端末に共通の情報となるため、優先度の高い周波数キャリアのセルへの集中（待ち受け端末の偏り）が生じる場合がある。
【０１５９】
また、周波数キャリアセル間で端末を分散させるために、報知情報で各セルの選択確率を指定することが考えられる。しかしながら、報知情報の更新間隔は長い（たとえば６４０〜４０９６０［ｍｓ］）ため、負荷状況が変化した場合の対応に遅れが生じる場合がある。この場合は、低スループットや呼損の原因となる場合がある。また、選択確率を用いた制御であるため、目標とする確率に対してずれが生じる場合がある。
【０１６０】
また、待ち受け（ＩＤＬＥ）端末は、将来の接続（ＣＯＮＮＥＣＴＥＤ）端末の候補であるため、待ち受け端末数の集中は、将来の接続端末の集中につながり、特定の周波数キャリアのセルに負荷が集中する原因となる。このため、無線リソースを効率よく使用できない場合がある。
【０１６１】
これに対して、上述した各実施の形態によれば、ページングメッセージごとに好ましいセルまたは好ましくないセルを個々に設定可能となる。このため、特定のセルへの負荷の集中を回避することができる。また、その時々の各セルの負荷状況（混雑度）に応じた負荷分散制御が可能になる。
【０１６２】
また、たとえば報知情報により選択確率を設定する方法に比べて、ページングメッセージを用いることで制御間隔を短くすることができる。このため、負荷状況の変化に迅速に対応し、特定の周波数キャリアのセルに負荷が集中することを抑制し、無線リソースを効率よく使用することができる。
【０１６３】
また、たとえば任意のセルに対して一旦接続させてからハンドオーバを行う方法に比べて、ハンドオーバに伴うシグナリングや処理の複雑さを回避することができる。
【０１６４】
また、上述した各実施の形態は、たとえば、電話着信、メールの受信、対話アプリのプッシュ通知の受信などの着信時において、各セルの状況に応じたセル間の負荷分散を行うことができる。メールには、たとえば、ＥメールやＳＭＳ（Ｓｈｏｒｔ  Ｍｅｓｓａｇｅ  Ｓｅｒｖｉｃｅ）などが含まれる。また、上述した各実施の形態によれば、たとえばセンサネットワークにおいて、ネットワークからセンサへ測定指示を送信する際のセンサにおける測定指示の受信などにおいても、各セルの状況に応じたセル間の負荷分散を行うことができる。
【０１６５】
また、上述した各実施の形態は、たとえば周波数ごとの優先度を設定するなどの従来技術に代えて用いることができる。または、上述した各実施の形態は、従来技術と組み合わせて用いてもよい。これにより、負荷状況の変化への迅速な対応を行うことができる。また、たとえば周波数ごとの優先度を用いる構成において、アイドルモードの端末の分布の偏りが残ってしまった場合に、上述した各実施の形態を組み合わせることで該偏りを補正することができる。
【符号の説明】
【０１６６】
１００，５００  無線通信システム
１１０  第１無線装置
１１１  生成部
１１２  送信部
１２０  第２無線装置
１２１，６０１  受信部
１２２，６０３，９０４  制御部
５０１〜５０３  セル
５１０，１８１１，１８１２，１９１１〜１９１９  基地局
５２０  端末
６０２  負荷状況取得部
６０４  ページングメッセージ生成部
６０５，９０６  送信処理部
６０６，９０７  送信アンテナ
６０７，９０１  受信アンテナ
６０８，９０２  受信処理部
６０９  接続信号検出部
８００，１１００  通信装置
８０１，１１０１  ＣＰＵ
８０２，１１０２  メモリ
８０３，１１０４  無線通信インタフェース
８０４  有線通信インタフェース
８０９，１１０９  バス
９０３  ページングメッセージ検出部
９０５  接続信号生成部
１１０３  ユーザインタフェース
１４１０  上位局
１４２１  第１端末
１４２２  第２端末
１５００  ページングメッセージ
１７００  テーブル
１８０１  マクロセル
１８０２，１８０３，１９０１〜１９０９  スモールセル
【図１】
2016125311.tif 000003
【図２】
2016125311.tif 000004
【図３】
2016125311.tif 000005
【図４】
2016125311.tif 000006
【図５】
2016125311.tif 000007
【図６】
2016125311.tif 000008
【図７】
2016125311.tif 000009
【図８】
2016125311.tif 000010
【図９】
2016125311.tif 000011
【図１０】
2016125311.tif 000012
【図１１】
2016125311.tif 000013
【図１２】
2016125311.tif 000014
【図１３】
2016125311.tif 000015
【図１４】
2016125311.tif 000016
【図１５】
2016125311.tif 000017
【図１６】
2016125311.tif 000018
【図１７】
2016125311.tif 000019
【図１８】
2016125311.tif 000020
【図１９】
2016125311.tif 000021
【図２０】
2016125311.tif 000022
【図２１】
2016125311.tif 000023
【図２２】
2016125311.tif 000024
【図２３】
2016125311.tif 000025
【国際調査報告】
2016125311.tif 000026
2016125311.tif 000027